(57)【要約】      （修正有）【課題】ポンプヘッドを手で下方に押圧することなく薬液タンク内の薬液を噴射させることができる手指消毒器用のスタンドを、簡易構造で実現することができ、移動できる装置に簡易に取り付けることができる手指消毒器を提供する。【解決手段】薬液タンク９１の上部にプッシュ式のポンプヘッド９２が配設された手指消毒器用のスタンド１であって、手指消毒器９０が載置される載置台６０と、載置台６０の下方に配置されるシャフトと、シャフトをその内部に配置する筒状の支柱２０と、シャフトを介して載置台６０を押し上げる操作部材４０と、載置台６０が押し上げられた際に、載置台６０に載置された手指消毒器９０のポンプヘッド９２を上方から押えるための押え部材７０と、支柱２０に固設され、支柱２０の長手方向と直交する方向に延設した固定部材８０・８０と、を具備し、操作部材４０は、固定部材８０の長手方向と平行な方向に突出させた。【選択図】図１
0003162009.tif 000002
【実用新案登録請求の範囲】
【請求項１】
薬液タンクの上部にプッシュ式のポンプヘッドが配設された手指消毒器用のスタンドであって、
該手指消毒器が載置される載置台と、
該載置台の下面に上端が接続し、上下方向に配設されるシャフトと、
該シャフトをその内部に配置する筒状の支柱と、
該支柱の下部に取り付けられ、前記シャフトの下部に当接し、該シャフトを介して前記載置台を押し上げる操作部材と、
前記支柱に固定され、前記載置台に載置される手指消毒器のポンプヘッドの上方への移動を規制する押え部材と、
前記支柱に固設され、支柱の長手方向と直交する方向に延設した固定部材と、
を具備し、
前記操作部材は、前記固定部材の長手方向と平行な方向に突出させた、
手指消毒器用のスタンド。
【請求項２】
前記固定部材は、前記支柱に固設されたレール部と、レール部両端から長手方向に摺動自在に延設された一対の把持部とを有する、
手指消毒器用のスタンド。
【請求項３】
前記シャフトは、断面が四角形状の柱状に形成した、
手指消毒器用のスタンド。
【考案の詳細な説明】
【技術分野】
【０００１】
本考案は、薬液タンクの上部にプッシュ式のポンプヘッドが配設される手指消毒器用のスタンドの技術に関する。
【背景技術】
【０００２】
従来、手指消毒用にヘッド部分を押し下げて薬液を吐出させるポンプ式の容器が用いられている。そして、この様な容器を足で操作する手指消毒器用のスタンドが知られている。これは、ペダルに接続したリンク機構を組み合わせ、スタンドに載置された容器のポンプヘッドを押し下げるものである。例えば、特許文献１に示すものが知られている。このような手指消毒器用のスタンドは、リンク機構が複数のアームで構成されている。そして、ペダルが踏まれると、各アームが回動または上下動され、ポンプヘッドを押し下げ、薬液を吐出する。
【先行技術文献】
【特許文献】
【０００３】
【特許文献１】特開２００８−２２９２９６号公報
【考案の概要】
【考案が解決しようとする課題】
【０００４】
しかしながら、特許文献１のような手指消毒器用のスタンドでは、薬液タンク内の薬液を噴射させるための構造（リンク機構）が複雑であり、手指消毒器用のスタンドのこまめなメンテナンスが必要となる。そして、複雑な機構のため、清掃には時間がかかり、衝撃などによる小さな変形でも作動しにくく、安価に実現しにくい。
【０００５】
また、特許文献１のような手指消毒器用のスタンドを病院などの医療現場で使用する場合、回診などにおいて、医療従事者は頻繁に手指を消毒する必要があるため、移動できる装置（台車や回診車）などに取り付けて、医療従事者とともに移動させることができる手指消毒器用のスタンドが望まれていた。
【０００６】
本考案はかかる課題に鑑み、手指消毒器のポンプヘッドを手で下方に押圧することなく薬液タンク内の薬液を噴射させることができる手指消毒器用のスタンドを、簡易構造で実現することができ、移動できる装置に簡易に取り付けることができる手指消毒器を提供する。
【課題を解決するための手段】
【０００７】
本考案の解決しようとする課題は以上の如くであり、次にこの課題を解決するための手段を説明する。
【０００８】
即ち、請求項１においては、薬液タンクの上部にプッシュ式のポンプヘッドが配設された手指消毒器用のスタンドであって、前記手指消毒器が載置される載置台と、前記載置台の下方に配置されるシャフトと、前記シャフトをその内部に配置する筒状の支柱と、前記シャフトを介して前記載置台を押し上げる操作部材と、前記載置台が押し上げられた際に、前記載置台に載置された手指消毒器のポンプヘッドを上方から押えるための押え部材と、前記支持部材に固設され、支持部材の長手方向と直交する方向に延設した固定部材と、を具備し、前記操作部材は、前記固定部材の長手方向と平行な方向に突出させたものである。
【０００９】
請求項２においては、前記固定部材は、前記支柱に固設されたレール部と、レール部両端から長手方向に摺動自在に延設された一対の把持部とを有するものである。
【００１０】
請求項３においては、前記シャフトは、断面多角形状の柱状に形成したものである。
【考案の効果】
【００１１】
本考案の効果として、以下に示すような効果を奏する。
【００１２】
即ち、本考案に係る手指消毒器用のスタンドによれば、既存のポンプヘッドを有するポンプ式容器を用いた手指消毒器のポンプヘッドを手で下方に押圧することなく薬液タンク内の薬液を噴射させることができる手指消毒器用のスタンドを、簡易構造で実現することができ、移動できる装置に簡易に取り付けることができる。また、既存の台車や回診車に容易に取り付けることができる。そして、簡易な構造なため、分解清掃が容易であり、耐久性の高いスタンドを実現できる。このため、定期的な清掃、消毒が必要となる高度な衛生レベルが必要となる環境においても用いることができる。
【図面の簡単な説明】
【００１３】
【図１】本考案の一実施形態に係る手指消毒器用のスタンドの全体的な構成を示す全体斜視図。
【図２】（ａ）操作部材を示す拡大正面図、（ｂ）操作部材を示す拡大正面図。
【図３】受け部材及び載置台を示す拡大側面図。
【図４】受け部材及び載置台を示す拡大上面図。
【図５】手指消毒器を載置した状態の載置台を示す拡大側面図。
【図６】（ａ）手指消毒器を載置した状態の載置台を示す拡大側面図、（ｂ）操作状態の載置台を示す拡大側面図。
【図７】固定部材を示す拡大背面図。
【図８】台車に取り付けた状態の手指消毒器用のスタンドを示す斜視図。
【図９】台車に取り付けた状態の手指消毒器用のスタンドを示す側面図。
【考案を実施するための形態】
【００１４】
次に、本考案の実施形態に係る手指消毒器用のスタンド１について、図１、図２及び図３を用いて説明する。なお、図１の矢印に示すように前後方向、上下方向、左右方向を定める。
【００１５】
手指消毒器用のスタンド１は、図１、図２及び図３に示すように、手指消毒器９０を配置するためのスタンドであって、支柱２０と、シャフト３０（図２参照）と、操作部材４０と、受け部材５０（図３参照）と、載置台６０と、押え部材７０と、固定部材８０・８０と、を有する。本実施形態に係る手指消毒器のスタンド１においては、支柱２０、シャフト３０、操作部材４０、受け部材５０、載置台６０、押え部材７０、及び固定部材８０・８０はステンレスなどの防錆性のある金属で構成される。
ここで、手指消毒器９０は、図１に示すように、消毒用の薬液（例えば、アルコール）が貯溜された薬液タンク９１の上部にプッシュ式のポンプヘッド９２が配設されて構成される。そして、手指消毒器９０は、ポンプヘッド９２を上方から押圧してこれを下方に移動させることにより、ポンプヘッド９２のノズルから薬液タンク９１内の薬液を噴射させるように構成される。
【００１６】
支柱２０は、円筒状の部材であって、上下方向に延設される。支柱２０の下端部には、図２に示すように、支柱２０内に貫通するように上下切り欠かれる切欠き孔２１が形成されている。
また、支柱２０の下端には板部材２２が設けられている。板部材２２は、その左右方向中心が支柱２０の右寄りとなるように設けられており、支柱２０の下面と板部材２２の上面とが溶接などによって固定されている。板部材２２の右側上面には操作部材４０が設けられている。また、板部材２２の側面は弾性材であるゴムで被覆されており安全性を向上させている。板部材２２の左側上面と支柱２０の側面との間には、正面視三角形状の補強板２３が設けられており、支柱２０と板部材２２との間の接着強度を向上させている。
【００１７】
また、板部材２２の下面には、補強部材２４が固設されている。補強部材２４は直方体に形成された部材であり、板部材２２の下面に固設することで、板部材２２の折曲強度を向上させている。
【００１８】
シャフト３０は、図２及び図３に示すように、棒状の部材であって、上下移動可能に支柱２０内に配置される。
また、シャフト３０は、図４に示すように、断面四角形の柱状に形成されている。これにより、シャフト３０を断面円形の柱状に形成した場合と比較して、支柱２０内における前後左右方向の移動が制限されるため、シャフト３０の支柱２０内での位置決めが容易となる。
また、シャフト３０は、操作部材４０によって上方に押し上げられた際に、載置台６０を上方に押し上げる（載置台６０を上方に移動させる）部材である。
【００１９】
操作部材４０は、図１または図２に示すように、下方への操作によりシャフト３０を介して載置台６０を押し上げる部材である。操作部材４０は、支柱２０の右側に突設されており、後述する固定部材８０の長手方向である左右方向に平行となるように突設されている。
また、操作部材４０は、操作部材本体４１の中途部に配置されて前後方向に軸心を有する回動軸４２を中心にして上下に回動可能なシーソー式のペダルで構成される。
また、操作部材４０は、回動軸４２より右方（操作部材４０の一方部）を上方に付勢する弾性部材４４（バネ部材）をその内部に有する。そして、操作部材４０は、その一方部の上面が下方に押圧されて、当該操作部材４０の一方部が下方に回動するとともに操作部材４０の他方部が上方に回動するように構成される（図２参照）。
【００２０】
操作部材４０の他方部は、シャフト３０に当接されてこれを押し上げる押上部材４３を有する。押上部材４３は、板状に構成されて、左方に突出するように操作部材本体４１に設けられる。
そして、操作部材４０は、押上部材４３（操作部材４０の他方部）を支柱２０の切欠き孔２１から支柱２０内に挿入させるとともにその上面をシャフト３０の下端に当接するようにシャフト３０の下方に配置させる。
【００２１】
このように押上部材４３（操作部材４０の他方部）がシャフト３０の下方に配置されることにより、操作部材４０の一方部が下方に押圧されて、操作部材４０の他方部（押上部材４３）が上方に回動してシャフト３０を押し上げることとなる（図２（ｂ）参照）。
【００２２】
受け部材５０は、図３及び図４に示すように、板状に形成されている。受け部材５０は、その上面に配置された載置台６０を下方から受ける部材であって、平板状の底部５１と、底部５１から上方に折り曲げられて形成される一対のフランジ部５２・５２と、から構成される。
底部５１は平面視略長方形状に形成されている。フランジ部５２・５２は、底部５１の左右端面から延設された板を上方に折り曲げて形成された部分であり、フランジ部５２・５２の前後方向の幅は後述する載置台６０のガイド溝６１の幅と略同じに形成されている。
また、フランジ部５２の前後方向中央部であって上下方向中央部から上方へずれた箇所には位置決め孔５７が設けられている。
また、受け部材５０の平面視略中央部から後方へずれた位置には、開口部５３が形成されている。そして、受け部材５０は、その開口部５３と支柱２０の上端部の開口とを一致するようにして、支柱２０の上端部に固定して設けられる。
【００２３】
開口部５３は、図４に示すように平面視四角形状に形成されている。また、開口部５３の形状と、シャフト３０の断面形状とは同じとなるように形成されている。これにより、シャフト３０が回転したり傾いたりしたときであっても、その側面が開口部５３と当接することにより、シャフト３０の突出する位置がずれることを防止することができる。
【００２４】
また、受け部材５０の前面には、図３及び図４に示すように、パイプ支持部材５４を介してパイプ５５が固設されており、パイプ５５の上面には、消毒液受けトレイ５６が載置される。
パイプ支持部材５４は、板状の部材であってその上部が後方に折り曲げられ、受け部材５０の下面に固設されている。また、パイプ支持部材５４の下端部は前方に折り曲げられ、パイプ５５の下面に固設されており、パイプ５５は、パイプ支持部材５４を介して受け部材５０に固設されている。
パイプ５５は、上面視略長方形の枠状に形成されている。パイプ５５が形成する長方形の面積は消毒液受けトレイ５６の底面積よりも大きく、消毒液受けトレイ５６の開口面の面積よりも小さくなるように形成されている。
【００２５】
消毒液受けトレイ５６は、底面積が開口面の面積よりも小さくなるように形成されている。消毒液受けトレイ５６をパイプ５５の上方から載置した場合には、パイプ５５と消毒液受けトレイ５６の側面部とが当接することにより支持される。これにより、パイプ５５の上面に、消毒液受けトレイ５６が載置される。
また、消毒液受けトレイ５６は、ポンプヘッド９２のノズル先端部の下方に設けられている。これにより、ノズル先端部から滴下する消毒液を受けることができる。
【００２６】
載置台６０は、図１及び図５に示すように、手指消毒器９０が載置される部材であって、平面視略四角状に形成される。
載置台６０は、その下面の略中央部にシャフト３０の上端部が一体的に設けられるとともに、受け部材５０の上に配置される。
載置台６０の外縁部は下方に折り曲げられて形成される側面部を有している。外縁部が下方に折り曲げられているため、載置台６０の上面は平らに形成されている。これにより、載置台６０の上面に液体が貯留することを防止する。
【００２７】
また、載置台６０の左右側面に設けられた側面部の前後方向中央付近にはフランジ部５２・５２と対応するガイド溝６１・６１が形成されている。
このように載置台６０が構成されることにより、操作部材４０の一方部が下方に押圧されて前記押し上られたシャフト３０を介して載置台６０が押し上げられ、当該載置台６０に載置された手指消毒器９０が上方に移動することとなる（図６参照）。
また、載置台６０が受け部材５０に対して前後方向に移動しようとしたときであっても、フランジ部５２が受け部材に設けられたガイド溝６１に当接することにより、載置台６０と受け部材５０との相対的な位置がずれることを防止することができる。
【００２８】
また、載置台６０の上面には図１及び図５に示すように、転倒防止枠６２が設けられている。転倒防止枠６２は、手指消毒器９０が前後左右方向に移動若しくは転倒するのを防止するための部材であり、載置台６０の四隅から立設している四本の柱部材と、柱部材の上端に設けられた上面視四角形の枠とからなる。
【００２９】
押え部材７０は、前記載置台６０が押し上げられたられた際（手指消毒器９０が上方に移動した際）に、当該載置台６０に載置された手指消毒器９０のポンプヘッド９２を上方から押えるための部材であって、一対のフランジ部５２・５２に取り付けられる。
押え部材７０は、図１、図５及び図６に示すように、平板状の部材の上部が後方に折り曲げられて正面視略門状に形成される。
押え部材７０の水平方向に架設された部分は押え部７０ａとして構成され、垂直方向に延出する一対の部分は取付け部７０ｂ・７０ｂとして構成される。
【００３０】
取付け部７０ｂ・７０ｂは、上下方向に切欠かれて形成される位置決め溝７１・７１を有する。
そして、押え部材７０は、位置決め溝７１とフランジ部５２・５２に設けられた位置決め孔５７・５７とを一致させるとともに、上方に移動する手指消毒器９０を押え部７０ａにて上方から押えることができるような位置に押え部７０ａの高さを設定して、蝶ねじによって受け部材５０に固定される。
【００３１】
このように押え部材７０が構成されることにより、操作部材４０の一方部が下方に押圧されて前記載置台６０が押し上げられたられた際（手指消毒器９０が上方に移動した際）に、当該手指消毒器９０のポンプヘッド９２が押え部材７０によって上方から押えられて、手指消毒器９０から薬液が噴射することとなる（図６参照）。
【００３２】
次に固定部材８０・８０について、図１、図７、図８及び図９を用いて説明する。
固定部材８０・８０は、手指消毒器用のスタンド１を、台車や回診車などの移動装置に固定するための部材である。ここで、本実施形態においては移動装置として、図８に示す台車１００を使用して説明する。台車１００は、取手部１０１と、上下方向に延びた四本の柱１０２・１０２・１０２・１０２とを有している。また、各柱１０２の下端には車輪１０３が設けられており、移動可能に構成されている。
固定部材８０・８０は支柱２０の上部と下部とにそれぞれ固設され、支柱２０の左右方向に延設されている。固定部材８０・８０は同様の構成であるので、以下、上部の固定部材８０の構成について説明する。
固定部材８０は、図７に示すように、支柱２０に固設されたレール部８１と、レール部８１両端から長手方向に摺動自在に延設された一対の把持部８２・８２とを有する。
左右両端に設けられた一対の把持部８２・８２の端部には後方に二枚の板８３・８３がそれぞれ突設されており、その前後方向中心から後方へずれた部分にボルト用の孔が設けられている。また、板８３・８３のうち内側の板８３の内側面であって、孔が設けられた部分にはナットが溶接されている。二枚の板８３・８３で台車の取手部１０１側の二本の柱１０２・１０２をそれぞれ挟持して、前記孔にボルトを貫入し、ボルトを締結すること
によって固定することにより固定部材８０と台車１００とを相対移動不能に固定する。
【００３３】
レール部８１は、図９に示すように、支柱２０に対してブラケット８４を介して固設されている。レール部８１は、上下が鉤型に折り曲げられており、鉤型に折り曲げられた部分に一対の把持部８２・８２を差し込むことにより、一対の把持部８２・８２を左右方向に摺動自在に支持する。また、前記鉤型に折り曲げられた部分の端部は丸められている。また、レール部８１には固定孔が設けられており、固定孔にボルトを螺挿して把持部８２・８２を後方に押し付けることにより任意の位置で固定する。これにより、異なる台車であっても、把持部８２・８２を左右方向に摺動させて固定することにより、固定部材８０と台車１００とを相対移動不能に容易に固定することができる。
【００３４】
また、手指消毒器用のスタンド１の前後方向の幅は、台車１００の柱１０２と取手部１０１との間の幅よりも小さく構成している。これにより、手指消毒器用のスタンド１は、台車１００の柱１０２と取手部１０１との間に設置することができる。
また、操作部材４０は、台車１００の車輪１０３の上端とほぼ同じ高さに配置されている。これにより、作業者は台車１００を操作する姿勢とほぼ同じ姿勢で操作部材４０を操作することができる。
【００３５】
また、操作部材４０は、支柱２０の右側に突設されており、固定部材８０の長手方向である左右方向に平行となるように突設されている。固定部材８０を柱１０２に取り付けた状態においては、操作部材４０は台車１００の略中央から右方向に突出している。これにより、操作部材４０の一方部に下向きの力をかけた場合であっても、固定部材８０を中心とする前方への回転力が発生しにくくなる。したがって、作業者は、安定した状態で操作部材４０を操作することが可能となる。
【００３６】
以上のように、薬液タンク９１の上部にプッシュ式のポンプヘッド９２が配設された手指消毒器用のスタンド１であって、手指消毒器９０が載置される載置台６０と、載置台６０の下方に配置されるシャフト３０と、シャフト３０をその内部に配置する筒状の支柱２０と、シャフト３０を介して載置台６０を押し上げる操作部材４０と、載置台６０が押し上げられた際に、載置台６０に載置された手指消毒器９０のポンプヘッド９２を上方から押えるための押え部材７０と、支柱２０に固設され、支柱２０の長手方向と直交する方向に延設した固定部材８０・８０と、を具備し、操作部材４０は、固定部材８０の長手方向と平行な方向に突出させたものである。
【００３７】
また、固定部材８０・８０は、支柱２０に固設されたレール部８１と、レール部８１両端から長手方向に摺動自在に延設された一対の把持部８２・８２とを有するものである。
【００３８】
また、シャフト３０は、断面四角形状の柱状に形成したものである。シャフト３０を断面円形の柱状に形成した場合と比較して、支柱２０内における前後左右方向の移動が制限されるため、シャフト３０の支柱２０内での位置決めが容易となる。また、シャフト３０に対応する開口部５３の形状をシャフト３０の断面形状とは同じとなるように形成したことによりシャフト３０が回転したり傾いたりしたときであっても、その側面が開口部５３と当接することにより、シャフト３０の突出する位置がずれることを防止することができる。
したがって、ポンプヘッド９２を手で下方に押圧することなく薬液タンク９１内の薬液を噴射させることができる手指消毒器用のスタンド１を、簡易構造で実現することができる。
【００３９】
また、前記手指消毒器用のスタンド１は、部品点数が少なく、支柱２０、シャフト３０、操作部材４０、受け部材５０、載置台６０、押え部材７０、及び固定部材８０・８０はステンレスなどの防錆性のある金属で構成される。このように簡易な構造なため、分解清掃が容易であり、耐久性が高い。このため、定期的な清掃、消毒が必要となる高度な衛生レベルが必要となる環境においても用いることができる。
【００４０】
なお、シャフト３０は、筒状に構成されても良いものとする。またこの際に、当該シャフト３０の上端部の開口に貫通するようにして載置台６０に開口を形成することにより、前記載置台６０上の開口、前記シャフト３０の筒内を介して、手指消毒器９０から噴射されて載置台６０上に残留する薬液を手指消毒器用のスタンド１の外部に排出させることができる。
【符号の説明】
【００４１】
１  手指消毒器用のスタンド
２０  支柱
３０  シャフト
４０  操作部材
６０  載置台
７０  押え部材
８０  固定部材
９０  手指消毒器
１００  台車
【図１】
0003162009.tif 000003
【図２】
0003162009.tif 000004
【図３】
0003162009.tif 000005
【図４】
0003162009.tif 000006
【図５】
0003162009.tif 000007
【図６】
0003162009.tif 000008
【図７】
0003162009.tif 000009
【図８】
0003162009.tif 000010
【図９】
0003162009.tif 000011
【手続補正書】
【提出日】平成22年6月9日(2010.6.9)
【手続補正１】
【補正対象書類名】実用新案登録請求の範囲
【補正対象項目名】全文
【補正方法】変更
【補正の内容】
【実用新案登録請求の範囲】
【請求項１】
薬液タンクの上部にプッシュ式のポンプヘッドが配設された手指消毒器用のスタンドであって、
該手指消毒器が載置される載置台と、
該載置台の下面に上端が接続し、上下方向に配設されるシャフトと、
該シャフトをその内部に配置する筒状の支柱と、
該支柱の下部に取り付けられ、前記シャフトの下部に当接し、該シャフトを介して前記載置台を押し上げる操作部材と、
前記支柱に固定され、前記載置台に載置される手指消毒器のポンプヘッドの上方への移動を規制する押え部材と、
前記支柱に固設され、支柱の長手方向と直交する方向に延設した固定部材と、
を具備し、
前記操作部材は、前記固定部材の長手方向と平行な方向に突出させた、
手指消毒器用のスタンド。
【請求項２】
前記固定部材は、前記支柱に固設されたレール部と、レール部両端から長手方向に摺動自在に延設された一対の把持部とを有する、
請求項１に記載の手指消毒器用のスタンド。
【請求項３】
前記シャフトは、断面が四角形状の柱状に形成した、
請求項１または請求項２に記載の手指消毒器用のスタンド。